(57)【特許請求の範囲】
【請求項１】
被写体の光学像を取り込み静止画像信号を生成し出力する静止画撮像手段と、
被写体の光学像を繰り返し取り込み動画像信号を生成し出力する動画撮像手段と、
前記静止画撮像手段から出力される前記静止画像信号を静止画像ファイルとしてファイル情報を付してメモリへ記録する静止画記録手段と、
前記動画撮像手段から出力される前記動画像信号を動画像ファイルとしてファイル情報を付して前記メモリへ記録する動画記録手段と、
前記動画記録手段における記録を第１態様で第１記録指示として指示する第１指示手段と、
前記動画記録手段における記録を前記第１態様とは異なる第２態様で第２記録指示として指示する第２指示手段と、
前記第１記録指示及び第２記録指示のうちいずれかを受け付ける記録指示受付手段と、
前記記録指示受付手段において前記第１記録指示および第２記録指示のうちいずれかが受け付けられると前記動画像信号の記録を開始させる記録開始制御手段と、
前記記録指示受付手段において前記第１記録指示が受け付けられた場合は、前記動画記録手段に対して通常のファイル情報を記録せしめる制御を行い、
前記記録指示受付手段において前記第２記録指示が受け付けられた場合は、前記動画記録手段に対して前記ファイル情報を前記メモリに記録されている直前の動画像信号に関連するファイル情報として記録せしめる制御を行う記録制御手段を備えることを特徴とする、撮像装置。
【請求項２】
前記第１記録指示および前記第２記録指示は、筐体に配設された操作手段による使用者の操作に関連する指示であり、前記第１態様および前記第２態様は前記操作手段の操作継続時間に関連する態様であることを特徴とする、請求項１記載の撮像装置。
【請求項３】
前記操作手段は操作ボタンであり、前記第２態様は該操作ボタンが予め設定された期間以上押下される操作に基づく態様であることを特徴とする、請求項１乃至２記載のいずれかの撮像装置。
【請求項４】
被写体の光学像を繰り返し取り込み動画像信号を生成し出力する撮像手段と、
前記撮像手段から出力される前記動画像信号を画像ファイルとしてファイル情報を付してメモリへ記録する記録手段と、
前記記録手段における記録開始を記録開始指示として指示する指示手段と、
前記記録開始指示を受け付ける記録開始指示受付手段と、
前記記録開始指示受付手段において前記記録開始指示が受け付られると前記動画像信号の記録を開始する記録開始手段と、
前記記録手段における記録停止を第１態様で第１記録停止指示として指示する第１指示手段と、
前記記録手段における記録停止を前記第１態様とは異なる第２の態様で第２記録停止指示として指示する第２指示手段と、
前記第１記録停止指示及び前記第２記録停止指示のうちいずれかを受け付ける記録停止指示受付手段と、
前記記録停止指示受付手段において前記第１停止開始指示が受け付けられた場合は、前記記録手段に対して通常のファイル情報を記録せしめる制御を行い、
前記記録停止指示受付手段において前記第２記録停止指示が受け付けられた場合は、前記記録手段に対して前記ファイル情報を直前に前記メモリに記録された動画像信号に関連するファイル情報として記録せしめる制御を行う記録制御手段を備えることを特徴とする、撮像装置。
【請求項５】
前記第１記録停止指示および前記第２記録停止指示は、筐体に配設された操作手段による使用者の操作に関連する指示であり、前記第１態様および前記第２態様は前記操作手段の操作継続時間に関連する態様であることを特徴とする、請求項４記載の撮像装置。
【請求項６】
前記操作手段は操作ボタンであり、前記第２態様は該操作ボタンが予め設定された期間以上押下される操作に基づく態様であることを特徴とする、請求項４乃至５記載のいずれかの撮像装置。
【発明の詳細な説明】
【技術分野】
【０００１】
本発明は、撮像により得られる画像信号がファイルとしてメモリに記録される際に付与されるファイル情報に関するものである。
【背景技術】
【０００２】
昨今の撮像装置、特に例えば、デジタルカメラなどにおいて、動画像を撮像し記録媒体に記録する動画像記録機能が搭載されている。この動画像記録機能を使用して動画像が動画像ファイルとして記録媒体に記録される際には、ファイル情報としてファイル名が付与される。しかしながら、使用者が動画像ファイルをパーソナルコンピュータ（ＰＣ）などにコピーを行う際や、コピーされた動画像ファイルについて編集作業を行う際に、ファイル名を見ただけでは、いかなる動画像ファイルであるかを把握することができない。
【特許文献１】特開２００５−２７５９７８号公報
【発明の開示】
【発明が解決しようとする課題】
【０００３】
特許文献１に記載された従来技術１の撮像装置は、撮像より得られる画像ファイルに、画像データの撮影年月日と、撮影順に付与されるファイル番号とを組み合わせたファイル名が付与される。従って、使用者はファイル名を見ただけで、複数ファイルのうちどのファイル同士に関連性があるかを把握することができる。
【０００４】
しかしながら、従来技術１の撮像装置は、撮像装置が持つプログラムに従う一定の規則に従って画像ファイルにファイル名を付与させることができるが、使用者の指示、つまり使用者の意思に従って画像ファイル毎に関連性をつけるか否かを決定することができない。
【０００５】
本発明は、上記の問題点を解決するもので、複数の動画像ファイルにおける関連性を示すファイル情報を使用者の意思を反映して各々の動画像ファイルに付与することを可能とする撮像装置を提供するものである。
【課題を解決するための手段】
【０００６】
第１の発明の撮像装置は、被写体の光学像を繰り返し取り込み動画像信号を生成し出力する撮像手段と、撮像手段から出力される動画像信号を画像のファイルとしてファイル情報を付してメモリへ記録する記録手段と、記録手段における記録を第１態様で第１記録指示として指示する第１指示手段と、記録手段における記録を第１態様とは異なる第２態様で第２記録指示として指示する第２指示手段と、第１記録指示と第２記録指示を受け付ける記録指示受付手段と、記録指示受付手段において第１記録指示および第２記録指示のうちいずれかが受け付けられると動画像信号の記録を開始させる記録開始制御手段と、記録指示受付手段において第１記録指示が受け付けられた場合は、記録手段に対して通常のファイル情報を記録せしめる制御を行い、記録指示受付手段において第２記録指示が受け付けられた場合は、記録手段に対してファイル情報を直前にメモリに記録された動画像信号に関連するファイル情報として記録せしめる制御を行う記録制御手段を備えることを特徴とする。
【０００７】
第２の発明の撮像装置は、第１の発明の撮像装置に従属し、第１記録指示および第２記録指示は、筐体に配設された操作手段による使用者の操作に関連する指示であり、第１態様および第２態様は前記操作手段の操作継続時間に関連する態様であることを特徴とする。
【０００８】
第３の発明の撮像装置は、第１の発明乃至第２の発明の撮像装置のいずれかに従属し、操作手段は操作ボタンであり、第２態様は該操作ボタンが予め設定された期間以上押下される操作に基づく態様であることを特徴とする。
【０００９】
第４の発明の撮像装置は、被写体の光学像を繰り返し取り込み動画像信号を生成し出力する撮像手段と、撮像手段から出力される動画像信号を画像ファイルとしてファイル情報を付してメモリへ記録する記録手段と、記録手段における記録開始を記録開始指示として指示する指示手段と、記録開始指示を受け付ける記録開始指示受付手段と、記録開始指示受付手段において記録開始指示が受け付られると動画像信号の記録を開始する記録開始手段と、記録手段における記録停止を第１態様で第１記録停止指示として指示する第１指示手段と、記録手段における記録停止を第１態様とは異なる第２の態様で第２記録停止指示として指示する第２指示手段と、第１記録停止指示および第２記録停止指示を受け付ける記録停止指示受付手段と、記録停止指示受付手段において第１停止開始指示が受け付けられた場合は、記録手段に対して通常のファイル情報を記録せしめる制御を行い、記録停止指示受付手段において第２記録停止指示が受け付けられた場合は、記録手段に対してファイル情報を直前にメモリに記録された動画像信号に関連するファイル情報として記録せしめる制御を行う記録制御手段を備えることを特徴とする。
【００１０】
第５の発明の撮像装置は、第４の発明の撮像装置に従属し、第１記録停止指示および第２記録停止指示は、筐体に配設された操作手段による使用者の操作に関連する指示であり、第１態様および第２態様は操作手段の操作継続時間に関連する態様であることを特徴とする。
【００１１】
第６の発明の撮像装置は、第４の発明乃至第５の発明の撮像装置に従属し、操作手段は操作ボタンであり、第２態様は該操作ボタンが予め設定された期間以上押下される操作に基づく態様であることを特徴とする。
【発明の効果】
【００１２】
本発明の撮像装置によれば、複数の動画像ファイルにおける関連性を示すファイル情報を使用者の指示、つまり意思を反映して各々の動画像ファイルに付与することができ、使用者にとって動画像ファイルを扱いやすくなるといった使用者に対する利便性を向上させることができる。
【発明を実施するための最良の形態】
【００１３】
以下、本発明の撮像装置の一実施例として、デジタルカメラ１０に実施した形態につき、図面に沿って具体的に説明する。図１は本実施例のデジタルカメラ１０のブロック図を示している。
【００１４】
本実施例のデジタルカメラ１０は、撮像レンズ１２、絞り１４、モータ駆動部１６、ＣＣＤイメージャ１８、ＣＣＤ駆動部２０、レリーズボタン２２ａを含む操作部２２、タイマ２４ａ、レジスタ２４ｂ〜２４ｄを含むＣＰＵ２４、ＡＦＥ回路２８、バス３０、ＳＤＲＡＭ３２、信号処理回路３４、画像圧縮・伸張処理部３６、カード制御部３８、外部メモリカード４０および表示器４６を備えている。
【００１５】
撮像レンズ１２は、被写体の光学像を撮像デバイスであるＣＣＤイメージャ１８の撮像面上に結像させる。また、撮像レンズ１２はＣＣＤイメージャ１８の出力信号に基づいて光軸方向の移動を調節される。絞り１４は、制御されることにより撮像レンズ１２よりＣＣＤイメージャ１８に入る光を調節する。これらの撮像レンズ１２および絞り１４の調節はモータ駆動部１６によって行われる。ただし、このモータ駆動部１６は、撮像レンズ１２および絞り１４を別々に調節する図示しない２つのモータで構成されている。
【００１６】
撮像レンズ１２によってＣＣＤイメージャ１８の撮像面に被写体の光学像が結像されると、ＣＣＤイメージャ１８を構成する一部分である各フォトダイオードでは光電変換が行われる。ＣＣＤイメージャ１８は光の強さと時間に応じて蓄積された電荷の信号を、ＣＣＤ駆動部２０によって生成されたＣＣＤイメージャ１８の駆動に必要な各種のパルス波形に従ってアナログ撮像信号で出力する。
【００１７】
ＡＦＥ回路２８は、ＣＣＤイメージャ１８から出力されたアナログ撮像信号のノイズを軽減し、該アナログ撮像信号のレベルを自動調節し、デジタル画像データに変換する。信号処理回路３４では、ＡＦＥ回路２８から出力されるデジタル画像データを基に、色分離を行い３つの色信号であるＲ、Ｇ、Ｂ信号をＣＣＤイメージャ１８の各画素毎に作成する。そして、３つの色信号に対して色温度検出を行い色温度制御によってそれぞれに対して利得調整が行われる。次にこれらを輝度信号であるＹ信号、２つの色差信号であるＵ、Ｖ信号に変換するための処理を施す。本実施例では以上の処理を静止画撮像処理と定義する。
【００１８】
ＣＰＵ２４は、モータ駆動部１６、ＣＣＤ駆動部２０、操作部２２、ＳＤＲＡＭ３２、信号処理回路３４、ＪＰＥＧコーデックおよびＭＰＥＧコーデックを有する画像圧縮・伸張処理部３６、カード制御部３８および表示器４６に接続される。ＣＰＵ２４は、図示しない内部メモリに格納されているプログラムに従って、モータ駆動部１６、ＣＣＤ駆動部２０、ＳＤＲＡＭ３２、画像圧縮・伸張処理部３６、カード制御部３８および表示器４６の制御を行う。  本実施例のデジタルカメラ１０は、撮像モードとして、静止画像撮像モード、動画像撮像モードの２モードを有し、更に再生モードを有しており、操作部２２が操作されることにより３つのモードの設定切り替えが為される。
【００１９】
また、ＣＰＵ２４はレリーズボタン２２ａの押下の操作態様である、全押し操作態様および長押し操作態様を検出することができる。本実施例における全押し操作態様とは、使用者によってレリーズボタン２２ａが押下され、すぐに押下状態が解除された操作態様と定義し、長押し操作態様とは、使用者によってレリーズボタン２２ａが押下され、数秒間（例えば２秒間）押下状態を保持された後に、押下状態が解除された操作態様と定義する。この数秒間をタイマ２４ａがカウントする。
【００２０】
さて、操作部２２が操作されることにより設定された静止画撮像モードにおいて、レリーズボタン２２ａが押下されることによって静止画像撮像操作がなされると、１フレーム分の被写体の光学像が撮像レンズ１２、絞り１４、ＣＣＤイメージャ１８、ＡＦＥ回路２８および信号処理回路３４によって上述の処理がなされ、信号処理回路３４によって得られたＹ、Ｕ、Ｖ信号であるデジタル画像データはバス３０を介してＳＤＲＡＭ３２に一旦格納される。本実施例では、これまでの処理を第１撮像処理と定義する。
【００２１】
そして、一旦格納された１フレーム分のデジタル画像データは画像圧縮・信号処理部３６、ここではＪＰＥＧコーデックによって、ＪＰＥＧ形式で圧縮される。圧縮された圧縮デジタル画像データは再びＳＤＲＡＭ３２に格納される。また、一旦格納された１フレーム分のデジタル画像データからサムネイルデータが生成され、ＳＤＲＡＭ３２に格納され、画像圧縮・伸張処理部３６のＪＰＥＧコーデックによってＪＰＥＧ圧縮処理される。圧縮された圧縮サムネイルデータは、再びＳＤＲＡＭ３２に格納される。そして、圧縮デジタル画像データおよび圧縮サムネイルデータは、１つの静止画像ファイルとして、ここで例えば“ＡＢＣＤ００１．ＪＰＧ”というファイル名で、カード制御部３８が制御されることによって外部メモリカード４０に記録される。本実施例では、第１撮像処理後から外部メモリカード４０に記録されるまでの処理を第２撮像処理と定義する。
【００２２】
また、操作部２２が操作されることにより設定された動画像撮像モードにおいて、レリーズボタン２２ａが全押し操作または長押し操作されることによって動画像撮像が開始され、再びレリーズボタン２２ａが全押し操作され、動画像撮像が終了されるまで動画像処理が実行される。この動画像処理は、例えば１秒間に３０フレーム分の静止画撮像処理を連続的に行うこと同様の処理であり、Ｙ、Ｕ、Ｖ信号であるデジタル画像データが順次ＳＤＲＡＭ３２に一旦格納され、ＳＤＲＡＭ３２に一旦格納されたデジタル画像データは、順次に画像圧縮・伸張処理部３６に入力される。画像圧縮・伸張処理部３６では、ＭＰＥＧコーデックが使用され、本実施例においてはＭＰＥＧ４形式で動画圧縮処理が実行される。従って、画像圧縮・伸張処理部３６に入力されたデジタル画像データは、ＭＰＥＧコーデックによってＭＰＥＧ４形式で動画圧縮処理が施され、再びＳＤＲＡＭ３２に格納される。動画圧縮処理が施されたデジタル画像データは、カード制御部３８が制御されることによって１つの動画ファイルとして外部メモリカード４０に順次記録され、動画像撮像が終了されるとクローズする。
【００２３】
また、動画像処理と並行して、動画ファイルのサムネイルデータが生成される。詳細には、ＳＤＲＡＭ３２に一旦格納された最初の１フレームのデジタル画像データに基づいてサムネイルデータが生成され、該サムネイルデータはＳＤＲＡＭ３２に一旦格納され、画像圧縮・伸張処理部３６にて、ＪＰＥＧコーデックによりＪＰＥＧ圧縮処理が施される。そして、圧縮された圧縮サムネイルデータは再びＳＤＲＡＭ３２に格納され、動画像ファイルに付与された形で外部メモリカード４０に記録される。
【００２４】
動画像ファイルのファイル名は動画撮像操作が開始されたときに決定され、例えば、“ＡＢＣＤｍ＿ｎ．ＭＰ４”というファイル名で、外部メモリカード４０に記録される。ここで、ｍおよびｎは変数であって０および１以上の整数値をとり、それぞれの値は動画像撮像開始の操作として為される全押し操作または長押し操作に応じて変化する。また、ｍおよびｎの値がファイル名に適用される際には三桁の自然数で表され、例えば、ｍ＝１、ｎ＝１の場合におけるファイル名は、“ＡＢＣＤ００１＿００１．ＭＰ４”となる。
【００２５】
さて、撮像開始の操作として為される全押し操作または長押し操作について詳細に説明すると、撮像開始の操作として為される操作が全押し操作である場合は、直前に外部メモリカード４０に記録された動画像ファイルのファイル名が“ＡＢＣＤ００１＿００１．ＭＰ４”であったとすると、現在の動画像撮像により得られる動画像ファイルのファイル名は、“ＡＢＣＤ００２＿００１．ＭＰ４”となる。ここで、直前に記録された動画像ファイルのファイル名が“ＡＢＣＤ００２＿００２．ＭＰ４”であったとすれば、現在の動画像撮像により得られる動画像ファイルのファイル名は“ＡＢＣＤ００３＿００１．ＭＰ４”となる。このように、撮像開始の操作として為される操作が全押し操作である場合は、変数ｍはｍ＝ｍ＋１の値をとり、変数ｎはｎ＝１の値をとる。
【００２６】
また、撮像開始の操作として為される操作が長押し操作である場合は、直前に外部メモリカード４０に記録された動画像ファイルのファイル名が“ＡＢＣＤ００１＿００１．ＭＰ４”であったとすると、現在の動画像撮像により得られる動画像ファイルのファイル名は、“ＡＢＣＤ００１＿００２．ＭＰ４”となり、直前に記録された動画像ファイルのファイル名が“ＡＢＣＤ００１＿００２．ＭＰ４”であったとすると、現在の動画像撮像により得られる動画像ファイルのファイル名は、“ＡＢＣＤ００１＿００３．ＭＰ４”となる。このように、撮像開始の操作として為される操作が長押し操作である場合は、変数ｍはｍ＝ｍの値をとり、変数ｎはｎ＝ｎ＋１の値をとる。
【００２７】
つまり、撮像開始の操作として長押し操作が断続して為されると、ファイル名におけるｍの値は変わらずにｎの値が増えていく。また、撮像開始の操作として断続した長押し操作が断たれ、全押し操作が為されると、変数ｍが直前に記録された動画像ファイル名のｍより１増加されｎの値が１となり、全押し操作が断続的に為される場合はｍの値が増えていき、ｎの値は１のまま変化しない。
【００２８】
このように、使用者により為される撮像開始の操作が全押し操作である場合と長押し操作である場合とで、直前に外部メモリカード４０に記録された動画像ファイルと、現在の動画像撮像により得られる動画像ファイルとの関連性が、ファイル名に反映される。従って、直前に記録された動画像ファイルに関連性を持たせたい場合は、使用者は撮影開始の操作として長押しをするだけでよく、また全押し操作は使用者の意思による操作であるため、比較的容易にかつ使用者の意思を反映したファイル名で動画像ファイルを記録することが出来る。
【００２９】
図２は、本実施例のデジタルカメラ１０で動画像撮像された動画像ファイルが記録されている外部メモリカード４０の内容を、ＯＳとしてＷｉｎｄｏｗｓ（登録商標）が搭載されたパーソナルコンピュータのＷｉｎｄｏｗｓエクスプローラと称されるツールを用いて表示させた画面の一例を示す図である。図２に示すＷｉｎｄｏｗｓエクスプローラの画面では、外部メモリカード４０に記録されたフォルダ単位のデータをツリー状に表示されており、選択されたフォルダ内に存在する複数のファイルのファイル名、サイズ、ファイルの種類および更新日時を一覧表示されている。
【００３０】
図２を参照して、外部メモリカード４０に記録されている動画像ファイルの状態を具体的に説明すると、ファイル名“ＡＢＣＤ００１＿００１．ＭＰ４”、“ＡＢＣＤ００２＿００１．ＭＰ４”および“ＡＢＣＤ００３＿００１．ＭＰ４”の動画像ファイルは撮像開始の操作として全押し操作が為されており、ファイル名“ＡＢＣＤ００１＿００２．ＭＰ４”、“ＡＢＣＤ００１＿００３．ＭＰ４”および“ＡＢＣＤ００２＿００２．ＭＰ４”の動画像ファイルは、撮像開始の操作として長押し操作が為されている。
【００３１】
このように、使用者はファイル名を見るだけで外部メモリカード４０に記録されている複数の動画像ファイル間の関連性を比較的容易に視覚上、確認することが出来る。また、図２に示す動画像ファイル“ＡＢＣＤ００１＿００１．ＭＰ４”、“ＡＢＣＤ００１＿００２．ＭＰ４”および“ＡＢＣＤ００１＿００３．ＭＰ４”のように、撮像開始の操作として長押し操作が断続的に為されていた場合は、使用者はこれら３つの動画像ファイルに夫々関連性があること、つまりグループとして認識することが出来る。
【００３２】
次に、本実施例における動画像撮像により得られる動画像ファイルのファイル名生成の動作の流れをフローチャート図３および図４を用いて詳細に説明する。
【００３３】
操作部２２によって動画像撮像モードに切換える操作がなされると、ステップＳ１においてＣＰＵ２４は、変数ｍ、ｎおよびフラグＬの値をリセット（ｍ＝０、ｎ＝０、Ｌ＝０）する。これらの変数の値はレジスタ２４ｂ、２４ｃ、２４ｄに夫々格納されている。
【００３４】
次にステップＳ３へ進み、ＣＰＵ２４はレリーズボタン２２ａの押下操作が為されたか否かを判別する。この押下操作は動画像撮像の開始の操作に相当する。ステップＳ３においてＹＥＳと判別するまで、該判別を繰り返し行う。そして、ＣＰＵ２４はステップＳ３でＹＥＳと判別するとステップＳ５へ進み、フラグＬがリセット状態（Ｌ＝０）であるか否かを判別する。ステップＳ５においてリセット状態でないとき、つまりレジスタ２４ｄ内のフラグＬが立っている（Ｌ＝１）であると判別するとステップＳ７へ進み、レリーズボタン２２ａの押下操作が長押し操作であるか否かを判別する。
【００３５】
ステップＳ７においてＹＥＳと判別するとステップＳ９へ進み、ＣＰＵ２４はレジスタ２４ｂ内の変数ｍをｍに設定し、レジスタ２４ｃ変数ｎに１インクリメントする（ｍ＝ｍ、ｎ＝ｎ＋１）。また、ステップＳ７においてＮＯと判別するとステップＳ１１へ進み、ＣＰＵ２４はレジスタ２４ｂ内の変数ｍに１インクリメントし、レジスタ２４ｃ内の変数ｎを１に設定する（ｍ＝ｍ＋１、ｎ＝１）。
【００３６】
ステップＳ９およびステップＳ１１の次はステップＳ１３へ進み、ＣＰＵ２４はレリーズボタン２４ａが再び押下操作が為されたか否かを判別する。該判別はＹＥＳとなるまで繰り返し実行され、ＹＥＳと判別するとステップＳ１５へ進み、設定されている変数ｍおよびｎを使用して、ファイル名“ＡＢＣＤｍ＿ｎ．ＭＰ４”を生成する。
【００３７】
また、ステップＳ５においてレジスタ２４ｄ内のフラグがリセット状態（Ｌ＝０）であると判別するとステップＳ１７へ進み、レジスタ２４ｂ内の変数ｍを１に、レジスタ２４ｃ内の変数ｎを１に設定する。そしてステップＳ１９へ進み、ＣＰＵ２４はレリーズボタン２２ａの押下操作が為されたか否かを判別する。ＣＰＵ２４は該判別をＹＥＳと判別するまで繰り返し実行し、ＹＥＳと判別するとステップＳ２１へ進む。ステップＳ２１において、ＣＰＵ２４は設定されている変数ｍおよびｎを使用して、ファイル名“ＡＢＣＤｍ＿ｎ．ＭＰ４”を生成する。次にステップＳ２３へ進み、ＣＰＵ２４はレジスタ２４ｄ内のフラグＬを立て（Ｌ＝１）、ステップＳ３へ戻る。
【００３８】
上述したステップＳ１７〜ステップＳ２３までの一連の処理は、直前の動画像ファイルが外部メモリカード４０に記録されていない状態、つまり外部メモリカード４０に初めて動画像ファイルを記録する場合における処理である。この場合における動画像撮像の開始の操作であるレリーズボタン２４ａの押下操作の状態が、全押しであったとしても長押しであったとしても、動画像ファイルのファイル名として“ＡＢＣＤ００１＿００１．ＭＰ４”生成される。
【００３９】
なお、本実施例のデジタルカメラ１０では、外部メモリカード４０に記録されている直前の動画像ファイルと現在の動画像撮像により得られる動画像ファイルとの関連性のあるファイル名を、動画像撮影の開始時の操作が全押し操作又は長押し操作の夫々に応じて生成したが、該ファイル名の生成を、動画像撮影の終了時の操作が全押し操作又は長押し操作の夫々に応じて行っても良い。
【００４０】
また、本実施例のデジタルカメラ１０において動画像撮像モードにおいて外部メモリカード４０に本実施例が適用された動画像ファイルが記録されてから他のモードに切換えられ、再び動画像撮像モードに切換えられた場合、図３のステップＳ１において設定される変数ｍおよびｎの値を０に設定するのではなく、他のモードに切換えられる前の動画像撮像モードにおいて設定された値に設定し、フラグＬは１に設定されるようにしても良い。さらに、デジタルカメラ１０の電源が切断されて再び電源が入力された場合、および動画像撮像モードにおいて静止画撮像操作が割り込んだ場合においても、同様に図３のステップＳ１において設定される変数ｍおよびｎの値を０に設定するのではなく、他のモードに切換えられる前の動画像撮像モードにおいて設定された値に設定し、フラグＬは１に設定されるようにしても良い。
【００４１】
また、本実施例における変数ｍおよびｎの値は、ファイル名“ＡＢＣＤｍ＿ｎ．ＭＰ４”に使用されているが、ｍ＝１およびｎ＝１のときはファイル名“ＡＢＣＤａ＿ａ．ＭＰ４”とし、ｍ＝２およびｎ＝２のときはファイル名”ＡＢＣＤｂ＿ｂ．ＭＰ４“と、アルファベットで表現しても良い。
【００４２】
また、本実施例のデジタルカメラ１０では、再生モードにおいて画像圧縮・伸張処理部３６にて外部メモリカード４０にＭＰＥＧ４形式で記録されている動画像ファイルはデコードされ、表示器４６に出力される。該再生モードにおけるひとつの機能として、ファイル名に使用された変数ｍの値が同じである動画像ファイルを、変数ｎの値が小さい順に連続再生できる機能を保持していても良い。また、ファイル名に使用された変数ｍの値が同じである動画像ファイルを、一括削除の対象としても良い。
【００４３】
また、本実施例のデジタルカメラ１０において生成する動画像ファイルはＭＰＥＧ４形式であるが、ＭＯＶ形式、ＡＶＩ形式、ＡＳＦ形式、ＷＭＶ形式またはＤｉｖＸ形式であってもよく、動画像ファイルの形式は限定されない。
【図面の簡単な説明】
【００４４】
【図１】本実施例に係るデジタルカメラ１０を示すブロック図である。
【図２】本実施例に係るデジタルカメラ１０の外部メモリカード４０の内容をＰＣのＯＳであるＷｉｎｄｏｗｓエクスプローラと称されるツールを用いて表示させた画面の一例を示す図である。
【図３】本実施例に係るデジタルカメラ１０の動画像撮像モードにおけるファイル生成処理の手続の一部を示すフローチャートである。
【図４】図３のフローチャートに示す手続の続きの一部を示すフローチャートである。
【符号の説明】
【００４５】
１０      ・・・    デジタルカメラ
１２      ・・・    撮像レンズ
１８      ・・・    ＣＣＤイメージャ
２０      ・・・    ＣＣＤ駆動部
２２      ・・・    操作部
２２ａ    ・・・    レリーズボタン
２４      ・・・    ＣＰＵ
２４ａ    ・・・    タイマ
２４ｂ    ・・・    レジスタ
２４ｃ    ・・・    レジスタ
２４ｄ    ・・・    レジスタ
３２      ・・・    ＳＤＲＡＭ
３４      ・・・    信号処理回路
３６      ・・・    画像圧縮・伸張処理部
３８      ・・・    カード制御部
４０      ・・・    外部メモリカード
【図１】
0005042094.tif 000002
【図２】
0005042094.tif 000003
【図３】
0005042094.tif 000004
【図４】
0005042094.tif 000005